(57)【要約】【課題】チケットで入場可能なイベントに関する情報の提供を受けるための技術がなかった。【解決手段】データベース５０に格納された資料の送付希望状況に応じて、チケットに格納された識別情報をキーとして、各利用者端末３０にイベントに関する情報を配信する。この場合、イベント会場１００に設置されたＫＩＯＳＫ端末１０から利用者の要求を受付ける。【選択図】  図１
2005031825.tif 000002
【特許請求の範囲】
【請求項１】
情報を記憶可能な記憶媒体を有するチケットを利用した情報提供方法において、
前記記憶媒体に、当該記憶媒体もしくは前記チケットを識別する識別情報を記憶しておき、
前記識別情報、前記チケットの利用者に関する利用者情報および提供対象である提供情報を識別する情報識別子を対応付けてデータベースに記憶しておき、
前記データベースと接続されたリーダ装置が、その利用の際に前記チケットから識別情報を読み出し、
前記リーダ装置が、前記利用者から提供を希望する提供情報を特定する入力を受け付け、
前記リーダ装置が、前記データベースに、読み出された前記識別情報および受け付けられた入力の内容を送信し、
前記データベースが、送信された入力に対応する提供情報を検索して、検索された前記提供情報を、前記利用者情報に従って提供することを特徴とする情報提供方法。
【請求項２】
請求項１に記載の情報提供方法において、
前記利用者情報には、前記利用者の電子メールアドレスおよび個人ＵＲＬの少なくとも一方が含まれ、
前記提供情報の提供は、前記電子メールアドレスへ提供情報の送信および前記個人ＵＲＬへ前記提供情報を載せることにより実行することを特徴とする情報提供方法。
【請求項３】
請求項１に記載の情報提供方法において、
前記リーダ装置は、チケットの確認を行う改札装置であることを特徴とする情報提供方法。
【請求項４】
請求項３に記載の情報提供方法において、
前記提供情報の提供は、前記改札装置から前記利用者が出場したことを検知した場合に開始すること特徴とする情報提供方法。
【発明の詳細な説明】
【０００１】
【発明の属する技術分野】
本発明は、イベント等でのチケットを利用した情報提供サービスを実現するための技術に関する。この中でも特に、チケット（もしく識別情報を格納する媒体）を識別する識別情報を格納したチケットを用いるものに関する。なお、チケットとしては、いわゆるＩＣカード、磁気カード、紙の他、携帯端末（電話）を用いることが含まれる。
【０００２】
【従来の技術】
従来、チケットに関する情報を提供する技術に関しては、特許文献１がある。特許文献１においては、「ユーザの操作に応じ、心理テスト等を提供し、これらの結果に基いていずれかのチケットを推奨する」技術が開示されている。
【０００３】
【特許文献１】
特開２００３−８５３２２号公報
【０００４】
【発明が解決しようとする課題】
特許文献１においては、チケットを選択するための情報を提示しているのみで、イベント等に関する情報の提供に関しては、考慮されていない。特に、チケットを用いて、入場・退場した後、その参加したイベントの内容を確認したい場合については何も考えられていない。つまり、チケットを用いて出席、参加したイベントの内容に関しては、それを利用者に提供することは考慮されていない。
【０００５】
そこで、本発明では、チケットに対応するイベントに関する情報を利用者に提供することを目的とする。
【０００６】
【課題を解決するための手段】
上記の課題を解決するために、本発明では以下の構成とする。識別情報と利用者に関する情報等を対応付けて記憶しておく。そして、ＫＩＯＳＫ端末、改札装置などのリーダでチケットから読み取った識別情報で利用者を特定し、利用者から入力された情報で特定される内容（イベントの１つのブースなど）に応じて、利用者に提供する情報を特定する。
【０００７】
本発明には、電子メール、ｗｅｂ上での情報提供が含まれる。また、提供される情報には、イベント（ブース）の内容が含まれる。このような情報を提供することにより、イベント参加（出席）後にその内容をまとめることの効率化が図れる。特に、出張報告の作成の省力化が可能になる。
【０００８】
なお、本発明には、識別情報と利用者に関する情報等を対応付けるために以下のことを行うことも含まれる。利用者に対して、ランダムに識別情報が格納された記憶媒体を配布し、配布された記憶媒体を利用者が持参した際に、利用者から回答される利用者に関する情報等をデータベースの識別情報と対応付けて記憶する。この場合、予めチケット情報（イベントの内容、日時等）を識別情報を対応付けて記憶しておいてもよい。また、この際に、チケットを発行することも含まれる。さらに、この態様として、媒体と利用者の名刺（２枚）を受領し、名刺に媒体を添付してチケットとして利用可能とし、媒体に記録された識別情報を読み出し、もう１枚の名刺に記入し、これを控えとする。この控えを用いて、後にデータベースに利用者に関する情報を入力してもよい。
【０００９】
【発明の実施の形態】
以下、図面を用いて発明の実施の形態を説明する。本実施の形態は、図１に示すシステム構成で実現できる。つまり、ＫＩＯＳＫ端末１０、センタ装置２０、利用者端末３０およびカード作成装置４０が、ネットワーク５０、６０を介して接続されている。本実施の形態では、イベント会場１００用のネットワーク６０があるが、これはネットワーク５０と一体のものであっても構わない。また、ＫＩＯＳＫ端末１０もイベント会場１００に設置されているが会場外にあってもよい。さらに、ＫＩＯＳＫ端末１０は、イベント会場１０での改札装置であってもよい。
【００１０】
また、ＫＩＯＳＫ端末１０、センタ装置２０、利用者端末３０およびカード作成装置４０のぞれぞれは、プログラムに従って情報処理が可能なものであればよく、コンピュータ、携帯電話、携帯端末が含まれる。
【００１１】
次に、この図１に示すシステム構成における処理の内容を説明する。まず、チケットを利用する事前処理について、図２を用いて説明する。まず、センタ装置２０もしくはチケット作成装置４０のいずれかに設置されたデータベース５０に格納されるデータ項目を図３に示す。まず、ステップＳ１において、データベース５０の顧客ＩＤの初期化を行う。つまり、顧客ＩＤの各項目に適当なＩＤを埋める。この際、ＩＤの個数をチケット発行数に合わせてもよい。Ｓ１により、データベース５０には、図３に示すようなデータが格納される。
【００１２】
次に、ステップＳ２において、カード作成装置４０が、チケットに利用するチップからチップ（もしくはチケット）を識別するチップＩＤを読み取り、データベース５０に送る。
【００１３】
そして、ステップＳ３において、送られたチップＩＤを対応する顧客ＩＤに対応付けて格納する。そして、Ｓ４において、カード作成装置４０は、チップが添付されたカード（紙を含む）に、データベース５０から送信された顧客ＩＤ（つまり、書き込まれたチップＩＤに対応する顧客ＩＤ）を印字する。
【００１４】
次に、ステップＳ５において、顧客ＩＤを１増加する処理、つまり、次の顧客ＩＤについて、処理を開始する。
【００１５】
次に、ステップＳ６において、次に処理すべきカードがないかをカード作成装置４０に問合せ、その結果カードがない場合は、処理を終了する。ある場合は、ステップＳ３に戻り、次の顧客ＩＤについて、チップＩＤを書き込む処理を実行する。これを次のカードがなくなるまで繰り返すことにより、図４に示すようなデータを作成する。
【００１６】
次に、図５を用いて、利用者に関する情報を登録する登録処理について、図５を用いて、説明する。まず、Ｓ９において、利用者端末３０もしくはカード作成装置４０が、利用者に関する顧客情報を受付ける。顧客情報には、氏名、メールアドレスの他、会社名、会社住所、会社の電話番号、会社のＦＡＸ番号が含まれる。また、メールアドレスは、複数登録してもよい（例えば、携帯電話のアドレスと通常のアドレスなど）。
【００１７】
また、ここで受付ける顧客情報は提出された名刺に記載された内容、登録用紙に記載された内容であってもよい。
【００１８】
つぎに、ステップＳ１０において、適当な顧客ＩＤの入力を受付け、この顧客ＩＤと顧客情報をセンタ装置３０に送信する。
【００１９】
そして、ステップＳ１１において、センタ装置３０は、データベース５０に対して、送信された顧客ＩＤに対応付けて顧客情報を格納する。この処理により、図６に示すデータを作成する。
【００２０】
つぎに、利用者がイベントに出席した際に、資料を含む情報の提供を請求するための資料請求時の処理について、図７を用いて説明する。なお、本実施の形態で扱うイベントは複数のブース、セミナーが存在するイベントを対象とする。
【００２１】
まず、ステップＳ１２において、会場内のＫＩＯＳＫ端末１０が、利用者から提示されたチケットからチケットＩＤを読み取り、センタ装置３０に送信する。ここで、チケットＩＤの読み取りは、チケットから送信を受付ける形であってもよい（特に、携帯電話をチケットとして利用する場合に、有効である）。なお、このＫＩＯＳＫ端末１０は、イベント会場への改札装置、各セミナー（ブース）への改札装置、イベント会場での情報提供装置のいずれであってもよい。
【００２２】
次に、ステップＳ１３において、センタ装置３０は、データベース５０から送信されたチップＩＤに対応する顧客情報（特に、氏名）およびセミナー登録状況を検索し、ＫＩＯＳＫ端末１０に送信する。ここで、セミナー登録状況とは、利用者が出席するセミナーがどれであるかを示す情報である。これは、利用者端末３０やＫＩＯＳＫ端末１０から利用者自身が入力してもよい。また、予め、図５のステップＳ１１においてシステム側で、出席可能なセミナーを登録してもよい。さらに、ここでは、セミナーのみの登録状況を検索しているが、各ブースへの入場も予約が必要な場合は、同様のブース登録状況を検索、送信してもよい。また、このとき、データベース５０では、セミナー登録状況の対応するセミナーの欄に「１」とのフラグを立てて、登録、受講希望有りであることを登録する。
【００２３】
次に、ステップＳ１４において、ＫＩＯＳＫ端末１０が送信された情報を出力する。そして、ステップＳ１５において利用者が終了を選択しない場合、ステップＳ１６に進む。
【００２４】
次に、ステップＳ１６において、ＫＩＯＳＫ端末１０は、利用者から資料を必要とするブース、セミナーの選択を受付ける。この際、ＫＩＯＳＫ端末１０は、イベントに含まれるセミナー、ブースを示す表示をし、これを利用者に選択させる構成としてもよい。
【００２５】
次に、ステップＳ１７において、ＫＩＯＳＫ端末１０は、利用者からの選択に応じて、送信すべき資料に対応するセミナー、ブースを特定し、これをステップＳ１９において、センタ装置に送信する。
【００２６】
最後に、ステップＳ１９において、センタ装置３０では、特定されたセミナー、ブースのセミナー資料送付状況、ブース資料送付状況に１のフラグを立てる。これは、資料請求ありで未送付であることを示す。例えば、図６の例では、山田太郎氏は、セミナーＡ−１、ブース１、２、１９８および２００の資料を希望していることになる。
以上の処理により、データベース５０に格納されるデータが、図８の通りとなる。
【００２７】
次に、利用者に資料を提供（送付）する場合の処理である資料送付時の処理を図９を用いて、説明する。
【００２８】
まず、ステップＳ２０において、センタ装置３０は、データベース５０からランダムに顧客ＩＤを選択する。これは、ＩＤを降順もしくは昇順に行ってもよい。
【００２９】
次に、ステップＳ２１において、選択された顧客ＩＤのセミナー（ブース）資料送付状況を確認する。つまり、フラグ「１」が立てられているセミナー（ブース）を特定する。
【００３０】
次に、ステップＳ２２において、フラグ「１」が立てられているセミナー（ブース）について、送付すべき資料を特定して送付する。なお、特定するために、図示しないが各セミナー（ブース）資料送付状況の項目名を各資料にリンクを張る構成としてもよい。また、第２のデータベースを用意し、これを各セミナー（ブース）毎に記録しておいてもよい。これにより、利用者は利用者端末３０で資料の提供を受けることが可能になる。
【００３１】
また、ここでの送付は、以下の２通りの方法が含まれる。まず、第１にデータベース５０に記録されたメールアドレスに送付することである。また、第２に各利用者毎に個人ＷＥＢページを用意しておき、このＷＥＢページに資料をアップすることである。資料をアップすることには、資料が格納されたＵＲＬを個人ＷＥＢページに記録することが含まれる。また、この個人ＷＥＢページのアドレスをデータベース５０に記録しておく。
【００３２】
そして、ステップＳ２３において、送付した資料については、フラグを「１」から「２」（送付済みを示す）に変更する。
【００３３】
そして、ステップＳ２４において、データベース内の利用者が終了したかを確認し、終了していない場合ステップＳ２０に戻る。以上の処理により、図１０に示すデータを作成する。
【００３４】
なお、データベース５０に格納するデータとしては、改札装置やＫＩＯＳＫ端末１０（リーダ）がチケットから情報を読み取った時間、読み取ったリーダを設けてもよい。この場合、現在時刻より一定時間前であれば、これ以上資料請求がないとみなして、資料送付時の処理を開始してもよい。また、資料送付時の処理を、自動改札から出場したことを示す情報を受信した後に開始してもよい。
【００３５】
また、セミナー登録状況などに基づいて、各利用者にポイントを付与し、このポイントに応じて、資料送付のタイミングなどを変更してもよい。
【００３６】
【発明の効果】
以上の構成により、本発明では、イベント等の情報を利用者により容易に提供することが可能になる。
【図面の簡単な説明】
【図１】本発明の一実施の形態で利用されるシステム構成図を示す図。
【図２】本発明の一実施の形態における事前処理を示すフローチャート。
【図３】本発明のデータベース５０に格納されるデータの初期値を示す図。
【図４】本発明のデータベース５０に格納されるデータの事前処理後の値を示す図。
【図５】本発明の一実施の形態における登録処理を示すフローチャート。
【図６】本発明のデータベース５０に格納されるデータの登録処理時の値を示す図。
【図７】本発明の一実施の形態における資料請求時の処理を示すフローチャート。
【図８】本発明のデータベース５０に格納されるデータの資料請求時の値を示す図。
【図９】本発明の一実施の形態における資料送付時の処理を示すフローチャート。
【図１０】本発明のデータベース５０に格納されるデータの資料送付時の値を示す図。
【符号の説明】
１０…ＫＩＯＳＫ端末、２０…センタ装置、３０…利用者端末、４０…カード作成装置
【図１】
2005031825.tif 000003
【図２】
2005031825.tif 000004
【図３】
2005031825.tif 000005
【図４】
2005031825.tif 000006
【図５】
2005031825.tif 000007
【図６】
2005031825.tif 000008
【図７】
2005031825.tif 000009
【図８】
2005031825.tif 000010
【図９】
2005031825.tif 000011
【図１０】
2005031825.tif 000012